【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
ベースアセンブリーと、
前記ベースアセンブリーに取り付け可能であり、カップボディと、前記カップボディ内に回転可能に取り付けられる作動スクリューとを含む食物調理カップであって、前記カップボディは、ジュースを収容するために用いることができ、前記カップボディに第１の残渣出口が設けられるか、又は前記カップボディ内に第２の残渣出口が設けられる、食物調理カップと、
前記カップボディの開口端に気密に取り付けられる食材供給アセンブリーと、
前記第１の残渣出口に気密に接続されて食品の残渣を集めるために用いられるか、又は前記カップボディ内に配置されて前記第２の残渣出口に接続され、食品の残渣を集めるために用いられる残渣受入れ装置と、
前記カップボディと、前記食材供給アセンブリーと、前記残渣受入れ装置との間に形成され互いに連通する密閉空間と、
前記密閉空間に連通することができ、前記密閉空間内の空気を抜き出すために用いられる抽気アセンブリーと、
を含むことを特徴とする食物調理器。
【請求項２】
前記カップボディに第１の残渣出口が設けられ、前記残渣受入れ装置が前記第１の残渣出口に気密に接続される場合、前記残渣受入れ装置は、
取り外し可能に前記第１の残渣出口に気密に取り付けられ、側壁に残渣入口が設けられ、前記残渣入口と前記第１の残渣出口は相互に連通する、残渣受入れカップと、
前記残渣受入れカップの開放端に気密に蓋設される残渣受入れカップ蓋と、
前記残渣受入れカップ蓋と前記残渣受入れカップとの接続部に設けられ、前記残渣受入れカップ蓋を前記残渣受入れカップに気密に接続するための第２の密閉部材と、を含み、
前記残渣受入れカップ及び前記カップボディのうちの一方に取付け柱が設けられ、前記残渣受入れカップ及び前記カップボディのうちの他方に取付けスリーブが設けられ、前記残渣受入れカップは、前記取付け柱と前記取付けスリーブとの係合により取り外し可能に前記第１の残渣出口に気密に取り付けられることを特徴とする請求項１に記載の食物調理器。
【請求項３】
前記第１の残渣出口に設けられ、前記第１の残渣出口での残渣排出圧力を調整するための残渣排出圧力調整アセンブリーをさらに含むことを特徴とする請求項１に記載の食物調理器。
【請求項４】
前記カップボディは粉砕カップと、押圧カップとを含み、前記食材供給アセンブリーは前記粉砕カップの開口端に気密に蓋設され、前記粉砕カップの他端に連通口が設けられ、前記押圧カップと前記粉砕カップは前記連通口を介して連通し、
前記作動スクリューは、前記粉砕カップ内に取り付けられる粉砕スクリューと、前記押圧カップ内に取り付けられる押圧スクリューとを含み、
前記カップボディに第１の残渣出口が設けられ、前記残渣受入れ装置が前記第１の残渣出口に気密に接続される場合、前記第１の残渣出口が前記押圧カップに設けられ、前記残渣受入れ装置と前記押圧カップは前記第１の残渣出口を介して連通し、
前記ベースアセンブリーに第１の駆動軸と、第２の駆動軸とが設けられ、前記第１の駆動軸は前記粉砕スクリューに駆動可能に接続され、前記粉砕スクリューを駆動して食材を粉砕させるために用いられ、前記第２の駆動軸は前記押圧スクリューに駆動可能に接続され、前記押圧スクリューを駆動して食材を押圧させてジュースと残渣を分離するために用いられることを特徴とする請求項１に記載の食物調理器。
【請求項５】
前記カップボディに第１の残渣出口が設けられ、前記残渣受入れ装置が前記第１の残渣出口に気密に接続される場合、前記食物調理器は、
一端が前記カップボディに連通し、他端は外部環境に連通する第１の圧力解放通路と、
一端が前記残渣受入れ装置に連通し、他端は外部環境に連通する第２の圧力解放通路と、
前記第１の圧力解放通路の外部環境に連通する一端及び前記第２の圧力解放通路の外部環境に連通する一端に取り付けられ、前記第１の圧力解放通路及び前記第２の圧力解放通路を開放又は閉鎖させるための第５の密閉部材と、をさらに含むことを特徴とする請求項１に記載の食物調理器。
【請求項６】
前記第１の圧力解放通路の外部環境に連通する一端と前記第２の圧力解放通路の外部環境に連通する一端が合体して一つの通路が形成され、
前記カップボディの側壁内に接続通路が設けられ、前記接続通路の一端は前記第１の残渣出口に延伸して、前記第１の残渣出口に連通し、前記接続通路の内側壁に前記カップボディに連通する第２の貫通孔が設けられ、前記接続通路の外側壁に第３の貫通孔が設けられ、前記第５の密閉部材は開放又は密閉可能に前記第３の貫通孔に取り付けられることを特徴とする請求項５に記載の食物調理器。
【請求項７】
前記第５の密閉部材は密閉栓であり、前記食物調理器は、
弁棒であって、一端が前記第３の貫通孔に挿入して取り付けられ、前記第３の貫通孔の軸線に沿って移動でき、他端は前記カップボディの外部に配置され、前記密閉栓は前記弁棒の前記カップボディの外部に位置する一端に外嵌され、前記弁棒の作用により前記第３の貫通孔に密閉して取り付けられるか、又は前記第３の貫通孔を開放させることができる弁棒と、
前記カップボディ内又は前記接続通路内に設けられ、前記弁棒に接続され、前記弁棒が移動した場合前記弁棒を復帰させるためのリターンスプリングと、をさらに含むことを特徴とする請求項６に記載の食物調理器。
【請求項８】
前記弁棒の前記第３の貫通孔内に挿入された一端は前記第２の貫通孔に挿入されて前記カップボディ内に延在し、前記第２の貫通孔の内側壁に雌ねじが設けられ、前記弁棒の前記第２の貫通孔にフィットする側壁に雄ねじが設けられ、前記弁棒は前記雄ねじと前記雌ねじが係合することで前記第２の貫通孔内に取り付けられる、且つ／又は、
前記弁棒の前記第３の貫通孔内に挿入された一端は前記第２の貫通孔に挿入されて前記カップボディ内に延在し、前記弁棒の前記カップボディ内に延在する一端の端部に第２の取付け溝が設けられ、前記接続通路の内側壁に第４の貫通孔がさらに設けられ、前記リターンスプリングはトーションスプリングであり、前記トーションスプリングは前記弁棒の前記カップボディ内に延在する一端に外嵌して取り付けられ、前記トーションスプリングの第１のトーションスプリングアームは前記第２の取付け溝内に取り付けられ、前記トーションスプリングの第２のトーションスプリングアームは前記第４の貫通孔内に挿入して取り付けられ、前記第４の貫通孔の軸方向に沿って摺動することができる、且つ／又は、
前記弁棒の前記カップボディの外部に位置する一端に押さえ板が設けられ、前記押さえ板によって前記密閉栓は前記第３の貫通孔に押え付けて取り付けられ、前記押さえ板に操作ハンドルが設けられることを特徴とする請求項７に記載の食物調理器。
【手続補正２】
【補正対象書類名】明細書
【補正対象項目名】００６２
【補正方法】変更
【補正の内容】
【００６２】
これらの技術的手段において、取付け板は供給筒内に取り外し可能に取り付けられ、これによって取付け板を取り外してカップボディ及び取付け板の洗浄を行うことができ、また、このような構成によれば、取付け板と送り出し部材などを一体化して、取付け、修理又は販売などを行うことができる。当然ながら、取付け板と供給筒の内側壁も一体型の構造であり、即ち取付け板は直接供給筒に加工されてもよく、これによって取付け板と供給筒との接続の強度が向上する。
【手続補正３】
【補正対象書類名】明細書
【補正対象項目名】００８９
【補正方法】変更
【補正の内容】
【００８９】
これらの技術的手段において、保管座の底壁が保管空間に向かって陥没して、その内底壁面に取付け突起部が形成され、外底壁面に収納溝が形成されてもよく、このような構成において、保管座の底壁に取付け突起部及び収納溝を容易に加工することができるため、加工の難度が下がり、加工コストも低減する。
【手続補正４】
【補正対象書類名】明細書
【補正対象項目名】０２０８
【補正方法】変更
【補正の内容】
【０２０８】
これらの実施例において、取付け板３２２は供給筒３２内に取り外し可能に取り付けられ、これによって取付け板３２２を取り外してカップボディ２２及び取付け板３２２の洗浄を行うことができ、また、このような構成によれば、取付け板３２２と第２の送り出し部材３８４などを一体化して取付け、修理又は販売などを行うことができる。当然ながら、取付け板３２２と供給筒３２の内側壁も一体型の構造であり、即ち取付け板３２２は直接供給筒に加工されてもよく、これによって取付け板３２２と供給筒３２との接続の強度が向上する。
【手続補正５】
【補正対象書類名】明細書
【補正対象項目名】０２３５
【補正方法】変更
【補正の内容】
【０２３５】
これらの実施例において、保管座３９２の底壁が保管空間３９２２に向かって陥没して、その内底壁面に取付け突起部３９２４が形成され、外底壁面に収納溝３９２６が形成されてもよく、このような構造において、保管座３９２の底壁に取付け突起部３９２４及び収納溝３９２６を容易に加工することができるため、加工の難度が下がり、加工コストも低減する。